(57)【要約】【課題】薄型テレビの薄型テレビ用スタンドからの前面への出っ張りや、薄型テレビの重心の影響によるスタンド台の前方への延長を抑制し、さらに取り付け構造の複雑さや部品点数が多くなることによるコスト高を抑えた薄型テレビ用スタンドを提供することを目的とする。【解決手段】本発明の薄型テレビ用スタンド２０は、薄型テレビ１０を設置する薄型テレビ用スタンド２０であって、所定間隔をおいて立設された２本の支柱２１ａ、前記２本の支柱２１ａの内側面または外側面に設けられ前記薄型テレビ１０に設けられた溝部３２を引っ掛けるための突起状の係留金具２６を備えて構成される。【選択図】図２
2009118224.tif 000002
【特許請求の範囲】
【請求項１】
薄型テレビを設置する薄型テレビ用スタンドであって、
所定間隔をおいて立設された２本の支柱と、
前記２本の支柱の内側面または外側面に設けられ前記薄型テレビに設けられた溝部を引っ掛けるための突起状の係留金具と
を備える薄型テレビ用スタンド。
【請求項２】
前記係留金具はネジ構造であり、前記２本の支柱は前記係留金具がネジ止めされるためのネジ孔が設けられる
請求項１に記載の薄型テレビ用スタンド。
【請求項３】
前記ネジ孔は複数設けられる
請求項２に記載の薄型テレビ用スタンド。
【請求項４】
前記係留金具は先端が太径の略円柱形状である
請求項１から請求項３のいずれかに記載の薄型テレビ用スタンド。
【請求項５】
薄型テレビ用スタンドに薄型テレビを設置する設置構造であって、
請求項１から請求項４のいずれかに記載の薄型テレビ用スタンドと、
薄型テレビに装着され、前記溝部が形成された取付金具とを備え、
前記取付金具の前記溝部を前記係留金具に引っ掛けて前記薄型テレビを前記薄型テレビ用スタンドに設置する
薄型テレビの設置構造。
【請求項６】
前記取付金具は前記ネジ孔と対向する部位に固定孔が設けられ、
前記取付金具は前記固定孔を介して前記ネジ孔にネジ止めされる
請求項５に記載の薄型テレビの設置構造。
【発明の詳細な説明】
【技術分野】
【０００１】
本発明は、薄型テレビ用スタンドおよび薄型テレビの設置構造に関する。
【背景技術】
【０００２】
液晶テレビ等の薄型（平面型）テレビはその特徴を生かすために壁に直接装着するのが良いが、一般の家庭で壁に直接装着するのは業者による工事が伴うなどの困難がある。そのため、例えば特許文献１または特許文献２に示されているように、壁面装着ユニット等を使用して薄型テレビを壁掛けにする方法があるが、やはり壁面装着ユニット等を壁に取り付けるという作業が必要であり、また一度取り付けると移動が困難である。
【０００３】
それに対し、壁よせを目的とする薄型テレビ用スタンドが存在する。該スタンド対する従来の薄型テレビの設置構造について、薄型テレビに装着する取付金具は、薄型テレビ用スタンドの係留金具に直接引っ掛ける構造となっておらず、取付金具に高さ調整用金具等を装着し、高さ調整用金具をスタンドの係留金具に取り付ける、すなわち薄型テレビが薄型テレビ用スタンドに対して隙間を有する形で装着される構造となっている。
【０００４】
【特許文献１】特開平６−６０７５４号公報
【特許文献２】特開平６−２８７５６２号公報
【発明の開示】
【発明が解決しようとする課題】
【０００５】
しかしながら、上記のように高さ調整用金具等を使用して薄型テレビを装着した場合は、壁よせ用であるにも関わらず、高さ調整用金具の厚み分だけ薄型テレビが前面に張り出し壁から薄型テレビが離れてしまい、また重心が前方向にかかるので、地震対策等も含め、倒れにくく安定した状態で支えるためには、スタンド台の前方向の長さは大きくする必要があり、設置面積が大きくなる問題があった。さらに、取り付け構造も複雑で、部品点数が多くコスト高であるという問題があった。
【０００６】
本発明は上述の問題を解決するためになされたものであり、薄型テレビの薄型テレビ用スタンドからの前面への出っ張りや、薄型テレビの重心の影響によるスタンド台の前方への延長を抑制し、さらに取り付け構造の複雑さや部品点数が多くなることによるコスト高を抑えた薄型テレビ用スタンドを提供することを目的とする。
【課題を解決するための手段】
【０００７】
本発明の薄型テレビ用スタンドは、薄型テレビを設置する薄型テレビ用スタンドであって、所定間隔をおいて立設された２本の支柱、前記２本の支柱の内側面または外側面に設けられ前記薄型テレビに設けられた溝部を引っ掛けるための突起状の係留金具を備えて構成される。
【発明の効果】
【０００８】
この発明は、薄型テレビと薄型テレビ用スタンドの取り付ける構造を、係留金具を２本のスタンド支柱の向かい合う内側面または外側面に設け、薄型テレビに装着する取付金具を直接係留金具に引っ掛けて取り付けるようにしたことにより、薄型テレビの薄型テレビ用スタンドからの前面への出っ張りをなくすことが可能である。また前方向の出っ張りが無くなったことにより、重心もスタンドの前に出ないため、薄型テレビの重さを支えて安定させるためのスタンド台の前方向の長さも短くすることができる。さらに、取り付け構造の複雑さや部品点数が多くなることによるコスト高を抑えることが可能である。
【発明を実施するための最良の形態】
【０００９】
以下、この発明をその実施の形態を示す図面に基づいて具体的に説明する。
【００１０】
（構成）
図１は、本発明に係る薄型テレビ用スタンド２０に薄型テレビ１０を取り付けた状態の、薄型テレビ１０の前面側から見た斜視図である。図１に示すように、薄型テレビ１０はその裏面において薄型テレビ用スタンド２０に設置される。
【００１１】
薄型テレビ用スタンド２０は、接地面を有する転倒防止のための台部２２と、台部２２の上面に接続して形成される支柱部２１より構成される。支柱部２１は、薄型テレビ１０を設置するための所定間隔をおいて立設された２本の支柱２１ａを有する。
【００１２】
図２は、薄型テレビ用スタンド２０に薄型テレビ１０を取り付けた状態の、薄型テレビ１０の裏面側から見た斜視図である。薄型テレビ１０はその裏面に取付金具３０が装着され、取付金具３０は２本の支柱２１ａに直接設置される。設置構造の詳細は後述する。
【００１３】
図３は、取付金具３０を示す斜視図である。取付金具３０は板金を「コ」の字型に曲げた形状を有し、頂面３０ａと側面３０ｂ，３０ｃを備える。頂面３０ａには、取付金具３０を薄型テレビ１０の裏面にネジ４０によって固定するための固定孔３１が６箇所設けられる。また、側面３０ｂおよび３０ｃには、上方向に形成された溝部３２が２箇所ずつ形成され、また取付金具３０を２本の支柱２１ａに固定するための固定孔３３が１箇所ずつ形成される。
【００１４】
図４は、薄型テレビ用スタンド２０の一部を示す斜視図である。薄型テレビ用スタンド２０は、２本の支柱２１ａの内側面に設けられ薄型テレビ１０に設けられた溝部３２を引っ掛けるための突起状の係留金具２６を備える。本実施の形態においては、係留金具２６はネジ構造であり、２本の支柱２１ａはその内側面において係留金具２６がネジ止めされるためのネジ孔２５が複数設けられる。図４は、２本の支柱２１ａに係留金具２６を設置する前の状態を示した図であり、係留金具２６はネジ孔２５ａ〜２５ｄの４箇所にネジ止めされる。また、係留金具２６は先端が太径の略円柱形状である。
【００１５】
次に、薄型テレビ１０の設置構造の詳細について、図２を元に説明を行う。取付金具３０は図３に示した固定孔３１を介し、ネジ４０によって薄型テレビ１０の裏面に形成されたＶＥＳＡ穴もしくは壁掛け用ユーザーホールのネジ穴（図示せず）を利用して固定される。また上述したように、２本の支柱２１ａには突起状の係留金具２６が設けられる。薄型テレビ１０は、取付金具３０に設けられた溝部３２に係留金具２６を引っ掛けることによって、薄型テレビ用スタンド２０に設置される。
【００１６】
なお、取付金具３０はさらにネジ４１によって、ネジ孔２５と対向する部位に形成された固定孔３３を介しネジ孔２５にネジ止めされてもよい。また、ネジ孔２５は２本の支柱２１ａの外側面に設けられ、係留金具２６は２本の支柱２１ａの外側面に設けられてもよい。その場合は、取付金具３０は２本の支柱２１ａの外側面において引っ掛ける設置構造となる。
【００１７】
図５は薄型テレビ用スタンド２０に薄型テレビ１０を取り付けた状態の側面図である。図５に示すように、薄型テレビ用スタンド２０と薄型テレビ１０は１体化し隙間の無い状態で設置され、薄型テレビ１０は無駄に前面方向に張り出していない。
【００１８】
（動作）
次に、薄型テレビ１０が薄型テレビ用スタンド２０に設置された状態における、重心の位置と転倒の関係について説明する。薄型テレビ用スタンド２０と薄型テレビ１０の間の隙間が大きいほど重心が前へ移動し、薄型テレビ用スタンド２０は前方へ転倒しやすくなる。本発明においては、図５に示すように薄型テレビ用スタンド２０と薄型テレビ１０は隙間の無い状態で設置されるため、係留金具２６と取付金具３０の間に高さ調整用金具等を挿入した場合、すなわち薄型テレビ用スタンド２０と薄型テレビ１０の間に隙間が生じる場合に比べて、薄型テレビ用スタンド２０は前方へ転倒しにくくなる。
【００１９】
（効果）
この発明は、薄型テレビ１０を薄型テレビ用スタンド２０に取り付ける構造を、保留金具２６を２本の支柱２１ａの内側面に設け、薄型テレビに装着する取付金具３０を直接係留金具２６に引っ掛けて取り付けるようにしたことにより、薄型テレビ１０の薄型テレビ用スタンド２０からの前面への出っ張りを無くすことが可能である。また前方向の出っ張りが無くなったことにより、重心も薄型テレビ用スタンド２０の前に出ないため、薄型テレビ１０の重さを支えて安定させるための台部２２の前方向の長さも短くすることができる。以上のように本発明の薄型テレビ用スタンド２０は壁掛けではないが設置面積が小さく、液晶テレビ１０を壁掛けに近い状態で設置できるために、部屋のスペースを有効に使用出来る。さらに、取り付け構造の複雑さや部品点数が多くなることによるコスト高を抑えることが可能である。
【００２０】
また、係留金具２６をネジ式とすることにより、係留金具２６の構造を簡素化できると共に、工具を使わず簡単に係留金具２６の取り外しができ、ネジ孔２５を複数設けることにより薄型テレビ１０の装着高さ調整を簡単にすることが可能である。さらに、前記係留金具２６は略円柱形状であることにより、ネジ止めするときにネジの方向を気にする必要が無く、また先端が太径であることにより、設置された取付金具３０ががたつくのを防止することが可能である。
【図面の簡単な説明】
【００２１】
【図１】本発明に係る薄型テレビ用スタンドに薄型テレビを取り付けた状態の薄型テレビの前面側から見た斜視図である。
【図２】本発明に係る薄型テレビ用スタンドに薄型テレビを取り付けた状態の薄型テレビの裏面側から見た斜視図である。
【図３】本発明に係る取付金具を示す斜視図である。
【図４】本発明に係る薄型テレビ用スタンドの一部を示す斜視図である。
【図５】本発明に係る薄型テレビ用スタンドに薄型テレビを取り付けた状態の側面図である。
【符号の説明】
【００２２】
１０  薄型テレビ、２０  薄型テレビ用スタンド、２１  支柱部、２１ａ  ２本の支柱、２２  台部、２５，２５ａ〜２５ｄ  ネジ孔、２６  係留金具、３０  取付金具、３０ａ  頂面、３０ｂ，３０ｃ  側面、３１，３３  固定孔、３２  溝部、４０，４１  ネジ。
【図１】
2009118224.tif 000003
【図２】
2009118224.tif 000004
【図３】
2009118224.tif 000005
【図４】
2009118224.tif 000006
【図５】
2009118224.tif 000007